(57)【要約】      （修正有）【課題】フィルタ特性の調整を容易に行なうことができる誘電体帯域通過フィルタを提供する。【解決手段】誘電体共振器３０は、誘電体共振素子３１の上面中央に上下両端に貫通する空孔３２を設けて筒状に形成し、上面以外の表面に金属膜を形成する。誘電体共振素子３１の開口面には、２つの対向板電極３５を相対向するように設けると共に、空孔３２の内側から対向板電極３５の設置位置まで延長するように金属膜３３ａを形成する。誘電体帯域通過フィルタの筐体４１内に２つの誘電体共振器３０を対向板電極３５が対向するように収納する。筐体４１の両側に配置した入出力端子４２ａ、４２ｂに対し、筐体４１内に対向板電極３５を設ける。そして、各対向板電極３５間に結合調整棒４３ａ〜４３ｃを挿入できるようにし、その挿入長により各対向板電極３５間の電磁界結合量を調整する。【選択図】図３
2005303876.tif 000002
【特許請求の範囲】
【請求項１】
両端に貫通する空孔を設け、その一端を開口面とした筒状の誘電体であって、該誘電体の前記開口面以外の表面に金属膜を形成してなる誘電体共振器において、
前記開口面上部に前記空孔内表面の金属膜と導通する少なくとも１つの対向板電極を固定して設け、該対向板電極により入出力端子又は他の誘電体共振器に設けられている対向板電極と電磁界結合を行なうように構成したことを特徴とする誘電体共振器。
【請求項２】
前記請求項１に記載の誘電体共振器を１個又は複数個備え、電磁界結合している対向板電極間に結合調整棒を設置し、該結合調整棒により電磁界結合量を調整することを特徴とする誘電体帯域通過フィルタ。
【発明の詳細な説明】
【技術分野】
【０００１】
本発明は、電磁モードがＴＥＭモードの誘電体共振器及びこの誘電体共振器を用いた誘電体帯域通過フィルタに関する。
【背景技術】
【０００２】
従来、例えばタクシー無線等の移動無線における基地局では、複数の通信機と空中線との間に空中線共用装置を設け、周波数の異なる複数チャンネルにより１つの空中線を共用している。上記空中線共用機は、複数の帯域通過フィルタにより構成されるが、この帯域通過フィルタとしては、例えばＴＥＭモード誘電体共振器を利用した誘電体帯域通過フィルタが用いられている（例えば、特許文献１参照。）。
【０００３】
従来のＴＥＭモードの誘電体帯域通過フィルタは、例えば数百ＭＨｚの周波数帯で使用されるもので、図５〜図７に示すように構成されている。図５は誘電体帯域通過フィルタの横断面図、図６は同誘電体帯域通過フィルタの縦断面図、図７は同誘電体帯域通過フィルタに使用される誘電体共振器の斜視図である。
【０００４】
図５、図６において、１１は金属製の筐体で、この筐体１１内に複数例えば２つのＴＥＭモードの誘電体共振器１２ａ、１２ｂを収納している。また、筐体１１の両側部には、入出力端子１３ａ、１３ｂが設けられる。更に筐体１１内には、上記入出力端子１３ａ、１３ｂに対応して結合コイル１４ａ、１４ｂが設けられる。この結合コイル１４ａ、１４ｂは、一端が入出力端子１３ａ、１３ｂに接続され、他端が筐体１１に接続される。
【０００５】
上記誘電体共振器１２ａ、１２ｂは、図７に示すように四角柱に形成された誘電体共振素子２１の上面中央に上下両端に貫通する空孔２２を設けると共に、上面以外の表面に金属膜２３を形成している。そして、誘電体共振素子２１の対向する両側面中央部の金属膜２３を剥がして結合窓２４を形成する。
【０００６】
上記のようにして構成した誘電体共振器１２ａ、１２ｂは、結合窓２４が相互に隣接するように筐体１１内に収納し、結合コイル１４ａ、１４ｂと誘電体共振器１２ａ、１２ｂとの間、及び誘電体共振器１２ａと１２ｂとの間を結合窓２４により電磁界結合させている。
【０００７】
また、図示しないが、誘電体共振器１２ａ、１２ｂの同調を図るために、空孔２２内に金属製の同調棒が挿入される。この同調棒は、筐体１１の上面にナットで固定され、空孔２２内への挿入量によって同調周波数を調整するようになっている。
【特許文献１】特開平７−１４７５０２号公報
【発明の開示】
【発明が解決しようとする課題】
【０００８】
上記従来の誘電体帯域通過フィルタは、フィルタ特性の調整を行なう際に通過周波数の違い等により結合量を変化させる必要があるが、この結合量の調整は、結合窓２４の大きさを変えることによって行なっている。
【０００９】
しかし、結合窓２４の加工は非常に困難な作業で、作業効率が悪く、調整に時間が掛かるという問題がある。作業効率を向上するために結合窓２４の大きさが異なる複数種の誘電体共振器を予め揃えておくことが考えられるが、複数種の誘電体共振器を予め多数揃えておくことは、製品の管理が大変であると共に経済効率が悪いという問題がある。
【００１０】
本発明は上記の課題を解決するためになされたもので、フィルタ特性の調整を容易に行なうことができる誘電体共振器及び誘電体帯域通過フィルタを提供することを目的とする。
【課題を解決するための手段】
【００１１】
第１の発明は、両端に貫通する空孔を設け、その一端を開口面とした筒状の誘電体であって、該誘電体の前記開口面以外の表面に金属膜を形成してなる誘電体共振器において、
前記開口面上部に前記空孔内表面の金属膜と導通する少なくとも１つの対向板電極を固定して設け、該対向板電極により入出力端子又は他の誘電体共振器に設けられている対向板電極と電磁界結合を行なうように構成したことを特徴とする。
【００１２】
第２の発明に係る誘電体帯域通過フィルタは、前記第１の発明に係る誘電体共振器を１個又は複数個備え、電磁界結合している対向板電極間に結合調整棒を設置し、該結合調整棒により電磁界結合量を調整することを特徴とする。
【発明の効果】
【００１３】
本発明によれば、誘電体共振器の開口面上部に設けた対向板電極により入出力端子又は他の誘電体共振器に設けられている対向板電極と電磁界結合させることができ、従来のように筐体外側の金属膜を剥がして結合窓を形成する必要が無く、誘電体共振器を短時間で容易に製作することができる。
【００１４】
また、結合調整棒を回転操作して電磁界結合している対向板電極間への挿入長を可変設定するだけで、入出力端子と誘電体共振器との間の電磁界結合量及び各誘電体共振器間の電磁界結合量を容易にかつ微細に調整することができる。従って、希望するフィルタ特性の違いによって、結合窓の大きさが異なる誘電体共振器を多数揃える必要がなくなり、製品の管理が容易になると共に経済効率を向上することができる。
【発明を実施するための最良の形態】
【００１５】
以下、図面を参照して本発明の一実施形態を説明する。  
図１は、本発明の一実施形態に係るＴＥＭモードの誘電体共振器３０の構成を示す斜視図である。誘電体共振器３０は、例えば四角柱状の誘電体共振素子３１の上面中央に上下両端に貫通する周波数調整用の空孔３２を設け、筒状に形成している。また、上記誘電体共振素子３１には、上面以外の表面に例えば銀等の金属材を蒸着して金属膜３３を形成している。これにより誘電体共振素子３１は、上面を開口面３４としている。この場合、空孔３２の内表面にも金属膜３３が施される。
【００１６】
上記誘電体共振素子３１の開口面３４には、少なくとも１つ例えば２つの対向板電極３５を空孔３２の開口部の両側に位置して相対向するように設ける。この場合、誘電体共振素子３１の開口面には、空孔３２の内側表面から対向板電極３５の設置位置まで延長するように金属膜３３ａを形成し、この金属膜３３ａ上に金属板例えば銅板をＬ字形状に形成した対向板電極３５をハンダ付けにより固定する。上記対向板電極３５は、誘電体共振素子３１の外側面より所定距離内側に位置するように設ける。
【００１７】
そして、上記誘電体共振器３０を１個あるいは複数個使用して誘電体帯域通過フィルタを構成する。  
図２〜図４は、上記誘電体共振器３０を２個使用して２段の誘電体帯域通過フィルタ４０を構成した場合の例を示したもので、図２は外観構成を示す斜視図、図３は誘電体帯域通過フィルタ４０の蓋部分を除いて示す平面図、図４は誘電体帯域通過フィルタ４０の縦断面図である。
【００１８】
図２〜図４において、４１は誘電体帯域通過フィルタ４０の金属製の筐体で、この筐体４１内に２つの誘電体共振器３０、３０を対向板電極３５が相対向するように収納する。この際、誘電体共振器３０に施されている金属膜３３が筐体４１に電気的に接続されるようになっている。また、筐体４１の両側部には、入出力端子４２ａ、４２ｂが設けられる。
【００１９】
上記入出力端子４２ａ、４２ｂには、それぞれ筐体４１内において対向板電極３５を設ける。この場合、入出力端子４２ａ、４２ｂに設けられた対向板電極３５は、それぞれ誘電体共振器３０の対向板電極３５と所定の間隔例えば７〜１０ｍｍ程度の間隔を保って相対向するように配設される。
【００２０】
上記のように入出力端子４２ａ、４２ｂに設けた対向板電極３５と誘電体共振器３０に設けた対向板電極３５とを所定の間隔を保って対向配置することにより、各対向板電極３５、３５間に容量を生じさせて電磁界結合させる。
【００２１】
そして、上記入出力端子４２ａに設けられた対向板電極３５と誘電体共振器３０に設けられた対向板電極３５との間、２つの誘電体共振器３０、３０に設けられて隣接して位置する対向板電極３５、３５間、入出力端子４２ｂに設けられた対向板電極３５と誘電体共振器３０に設けられた対向板電極３５との間には、例えば金属部材あるいは絶縁部材からなる結合調整棒４３ａ〜４３ｃが挿入される。
【００２２】
上記結合調整棒４３ａ〜４３ｃは、外側にネジ部が形成されて雄ネジ形状となっており、筐体４１に設けられたネジ穴に螺着されて上記各対向板電極３５、３５間に挿入される。また、結合調整棒４３ａ〜４３ｃは、上端部中央に溝が形成されており、この溝に外部からドライバ等を結合させて回転することにより、対向板電極３５、３５間への挿入長さが調整できるようになっている。また、筐体４１の外側に位置する結合調整棒４３ａ〜４３ｃの上端部には、ナット４４が螺着され、位置調整を行なった後、ナット４４を締め付けることにより、結合調整棒４３ａ〜４３ｃの位置が固定されるようになっている。
【００２３】
また、筐体４１の上部には、図２に示すように蓋体４５が設けられる。この蓋体４５には、筐体４１に収納された誘電体共振器３０の空孔３２に対応する位置にネジ穴が設けられ、このネジ穴に例えば金属製の同調棒４６が螺着される。この同調棒４６には、上部外側にネジ部が形成されて雄ネジ形状となっており、このネジ部が上記蓋体４５に設けられたネジ穴に螺着され、その下側部が空孔３２内に挿入される。上記同調棒４６は、上端中央に溝が形成されており、この溝に外部からドライバ等を結合させて回転することにより、空孔３２内への挿入長さを調整し、同調周波数を調整できるようになっている。また、同調棒４６の上端部には、ナット４７が螺着されており、同調周波数を調整した後、ナット４７を締め付けて同調棒４６の位置を固定する。
【００２４】
上記のように構成された誘電体帯域通過フィルタ４０において、誘電体共振器３０、３０の同調周波数を調整する際は、同調棒４６を蓋体４５に固定しているナット４７を緩めた後、同調棒４６を回転させて空孔３２内への挿入量を可変し、同調周波数を調整する。調整終了後は、ナット４７を締め付けて同調棒４６を蓋体４５に固定する。
【００２５】
また、フィルタ特性を調整する場合は、結合調整棒４３ａ〜４３ｃを筐体４１に固定しているナット４４を緩めた後、結合調整棒４３ａ〜４３ｃを回転し、各対向板電極３５、３５間への挿入量を可変して電磁界結合量、すなわち、入出力端子４２ａと誘電体共振器３０との間の電磁界結合量、誘電体共振器３０、３０間の電磁界結合量、及び誘電体共振器３０と入出力端子４２ｂとの間の電磁界結合量を順次調整する。上記結合調整棒４３ａ〜４３ｃが金属体（導電体）の場合は、対向板電極３５、３５間に挿入することで結合量が減少し、結合調整棒４３ａ〜４３ｃが絶縁体（誘電体）の場合は、対向板電極３５、３５間に挿入することで結合量が増加する。
【００２６】
上記のようにして入出力端子４２ａ、４２ｂと誘電体共振器３０との間の電磁界結合量、及び誘電体共振器３０、３０間の電磁界結合量を調整して所望のフィルタ特性となるようにする。
【００２７】
上記のように筐体４１に設けたネジ穴に螺着されている結合調整棒４３ａ〜４３ｃをドライバ等により回転し、対向板電極３５、３５間への挿入長を可変するだけで、入出力端子４２ａ、４２ｂと誘電体共振器３０との間の電磁界結合量、及び誘電体共振器３０、３０間の電磁界結合量を容易にかつ微細に調整することができる。従って、従来のように希望するフィルタ特性の違いによって、結合窓の大きさが異なる誘電体共振器を多数揃える必要がなくなり、製品の管理が容易になると共に経済効率を向上することができる。また、結合調整棒４３ａ〜４３ｃの材質を変えることにより、結合量の可変幅を大きくすることができる。
【００２８】
なお、上記実施形態では、誘電体共振器３０の誘電体共振素子３１を四角柱状に形成した場合について示したが、例えば円柱状等、その他の形状に形成しても良い。
【００２９】
また、上記実施形態では、２個の誘電体共振器３０を用いて２段の誘電体帯域通過フィルタ４０を構成した場合について示したが、１個または２個以上の誘電体共振器を用いて誘電体帯域通過フィルタ４０を構成しても良く、フィルタ構成段数は任意に設定し得るものである。
【００３０】
また、本発明は、上記実施形態そのままに限定されるものではなく、実施段階ではその要旨を逸脱しない範囲で構成要素を変形して具体化できるものである。
【図面の簡単な説明】
【００３１】
【図１】本発明の一実施形態に係る誘電体共振器の外観構成を示す斜視図である。
【図２】同実施形態に係る誘電体共振器により構成した誘電体帯域通過フィルタの外観斜視図である。
【図３】同実施形態に係る誘電体帯域通過フィルタの蓋部分を除いて示す平面図である。
【図４】同実施形態に係る誘電体帯域通過フィルタの縦断面図である。
【図５】従来の誘電体帯域通過フィルタの横断面図である。
【図６】従来の誘電体帯域通過フィルタの縦断面図である。
【図７】従来の誘電体帯域通過フィルタに使用される誘電体共振器を取り出して示す斜視図である。
【符号の説明】
【００３２】
３０…誘電体共振器、３１…誘電体共振素子、３２…空孔、３３、３３ａ…金属膜、３４…開口面、３５…対向板電極、４０…誘電体帯域通過フィルタ、４１…筐体、４２ａ、４２ｂ…入出力端子、４３ａ〜４３ｃ…結合調整棒、４４…ナット、４５…蓋体、４６…同調棒、４７…ナット。
【図１】
2005303876.tif 000003
【図２】
2005303876.tif 000004
【図３】
2005303876.tif 000005
【図４】
2005303876.tif 000006
【図５】
2005303876.tif 000007
【図６】
2005303876.tif 000008
【図７】
2005303876.tif 000009